(57)【要約】【課題】情報を容易に確認することができる合成樹脂製キャップを提供する。【解決手段】天板部２とその周縁から垂下した筒部３とを備え、筒部３は、主部８と、ブリッジ７によって主部８に連結されたＴＥリング部９とに区画されている。ＴＥリング部９には、開栓の際に口元部２１の係止段部２３に係止してＴＥリング部９の移動を阻止する複数の係止突起１１が設けられている。主部８の外周面に、凸部１２ａからなるナール部１２が形成されている。筒部３の外周面は、主部８からタンパーエビデンスリング部９にかけて、ナール部１２がない空白領域１３を有する。空白領域１３は、主部８の外周面の一部である第１領域１３ａと、ＴＥリング部９の外周面の少なくとも一部である第２領域１３ｂとを有する。第１領域１３ａと第２領域１３ｂとは、互いに連なって形成された面一の領域である。空白領域１３には情報表示１４が形成されている。【選択図】図１
2016041595.tif 000002
【特許請求の範囲】
【請求項１】
容器の口元部に装着される合成樹脂製キャップであって、
天板部とその周縁から垂下した筒部とを備え、
前記筒部が、主部と、ブリッジによって前記主部に連結されたタンパーエビデンスリング部とに区画され、
前記主部の内周面に、前記口元部の雄ネジに螺合するネジ部が設けられ、
前記タンパーエビデンスリング部に、開栓の際に前記口元部の係止段部に係止して前記タンパーエビデンスリング部の移動を阻止する複数の係止突起が設けられ、
前記主部の外周面に、前記垂下方向に延在する凸部からなるナール部が形成され、
前記筒部の外周面は、前記主部からタンパーエビデンスリング部にかけて、前記ナール部がない空白領域を有し、
前記空白領域は、前記主部の外周面の一部である第１領域と、タンパーエビデンスリング部の外周面の少なくとも一部である第２領域とを有し、
前記第１領域と前記第２領域とは、互いに連なって形成された面一の領域であり、
前記空白領域に、情報表示が形成されていることを特徴とする合成樹脂製キャップ。
【請求項２】
前記情報表示は、文字、図形、記号のうち１以上またはそれと色彩との結合として識別できることを特徴とする請求項１に記載の合成樹脂製キャップ。
【請求項３】
前記情報表示は、前記第１領域と前記第２領域とにまたがって形成されていることを特徴とする請求項１または２に記載の合成樹脂製キャップ。
【請求項４】
前記空白領域の外径は、前記ナール部の最大外径以上とされていることを特徴とする請求項１〜３のうちいずれか１項に記載の合成樹脂製キャップ。
【請求項５】
飲料が充てんされる容器と、その口元部に装着されるキャップとを備えた閉止装置であって、
前記キャップは、請求項１〜４のうちいずれか１項に記載のものであることを特徴とする閉止装置。
【請求項６】
飲料が充てんされた容器と、その口元部に装着されるキャップとを備えた飲料入り閉止装置であって、
前記キャップは、請求項１〜４のうちいずれか１項に記載のものであることを特徴とする飲料入り閉止装置。
【発明の詳細な説明】
【技術分野】
【０００１】
本発明は、容器の口元部を閉止する合成樹脂製キャップ、前記キャップを用いた閉止装置、および飲料入り閉止装置に関する。
【背景技術】
【０００２】
従来、合成樹脂製キャップ（以下、単にキャップという）が広く用いられている（例えば、特許文献１を参照）。
図８は、従来のキャップの例を示す図である。ここに示すキャップ８１は、天板部２と、その周縁から垂下した筒部３とを備えている。
天板部２には、容器の口元部に嵌入して口元部の内面に当接する内側シール突起４と、口元部の外面または開口端面に当接する外側シール突起５とが形成されている。
筒部３は、スコア６（弱化部）によって、主部８と、ブリッジ７によって主部８に連結されたタンパーエビデンスリング部（ＴＥリング部）９とに区画されている。
主部８の内周面には、容器の雄ネジに螺合するネジ部１０が形成されている。
ＴＥリング部９の内周面には、開栓時に容器に係止してＴＥリング部９の移動を阻止する係止突起１１が形成されている。
【０００３】
主部８の外周面には、垂下方向（上下方向）に延在する複数の凸部からなるナール部３２が形成されている。ナール部３２は、使用者がキャップ８１を把持して回転させる際の滑り止めを目的として形成されている。
【先行技術文献】
【特許文献】
【０００４】
【特許文献１】特開２００２−２１１６０５号公報
【発明の概要】
【発明が解決しようとする課題】
【０００５】
近年では、販売促進などを目的として、天板部上面に、商品名等の情報を印刷などにより形成することがある。
しかしながら、この種のキャップを装着した容器は、商品として陳列される際に、正立状態（口部を上にし、底部を下にした状態）で商品棚に納められることが多いため、この商品棚の前面側から、天板部上面の情報を確認しにくくなることがあった。
本発明は上記事情に鑑みてなされたもので、情報を容易に確認することができる合成樹脂製キャップ、閉止装置、および飲料入り閉止装置を提供することを目的とする。
【課題を解決するための手段】
【０００６】
本発明は、容器の口元部に装着される合成樹脂製キャップであって、天板部とその周縁から垂下した筒部とを備え、前記筒部が、主部と、ブリッジによって前記主部に連結されたタンパーエビデンスリング部とに区画され、前記主部の内周面に、前記口元部の雄ネジに螺合するネジ部が設けられ、前記タンパーエビデンスリング部に、開栓の際に前記口元部の係止段部に係止して前記タンパーエビデンスリング部の移動を阻止する複数の係止突起が設けられ、前記主部の外周面に、前記垂下方向に延在する凸部からなるナール部が形成され、前記筒部の外周面は、前記主部からタンパーエビデンスリング部にかけて、前記ナール部がない空白領域を有し、前記空白領域は、前記主部の外周面の一部である第１領域と、タンパーエビデンスリング部の外周面の少なくとも一部である第２領域とを有し、前記第１領域と前記第２領域とは、互いに連なって形成された面一の領域であり、前記空白領域に、情報表示が形成されている合成樹脂製キャップを提供する。
前記情報表示は、文字、図形、記号のうち１以上またはそれと色彩との結合として識別できることが好ましい。
前記情報表示は、前記第１領域と前記第２領域とにまたがって形成することができる。
前記空白領域の外径は、前記ナール部の最大外径以上とされていることが好ましい。
【０００７】
本発明は、飲料が充てんされる容器と、その口元部に装着されるキャップとを備えた閉止装置であって、前記キャップが、上述のものである閉止装置を提供する。
本発明は、飲料が充てんされた容器と、その口元部に装着されるキャップとを備えた飲料入り閉止装置であって、前記キャップが、上述のものである飲料入り閉止装置を提供する。
【発明の効果】
【０００８】
本発明によれば、筒部の外周面の一部が空白領域とされ、空白領域に情報表示が形成されているので、キャップを装着した容器が、商品として正立状態で陳列される場合でも、情報表示を容易に確認できるようになる。
また、空白領域は、主部からＴＥリング部にかけて形成されるため、空白領域の面積を大きく確保し、十分な大きさの情報表示を形成することができる。従って、他の商品との識別を容易とし、優れた販売促進効果を得ることができる。
また、空白領域の第１領域と第２領域とは面一に形成されているため、情報表示の形成が容易となる。例えば、インク媒体（ブランケットや印刷版など）との接触によりインクを供給する印刷法（平版印刷法、凹版印刷法、凸版印刷法など）を採用する場合において、インク媒体と空白領域との接触に支障が生じない。よって、インク媒体によって適切な量のインクを供給し、鮮明で視認しやすい情報表示を形成することができる。
【図面の簡単な説明】
【０００９】
【図１】本発明の合成樹脂製キャップの第１実施形態を示す一部断面状態の正面図である。
【図２】前図の合成樹脂製キャップの正面図であり、この合成樹脂製キャップを開栓した後、再び容器の口元部の装着した場合に、情報表示の上部と下部との周方向位置が不一致となった状態を示す。
【図３】本発明の合成樹脂製キャップの第２実施形態を示す一部断面状態の正面図である。
【図４】本発明の合成樹脂製キャップの第３実施形態を示す一部断面状態の正面図である。
【図５】本発明の合成樹脂製キャップの第４実施形態を示す一部断面状態の正面図である。
【図６】本発明の合成樹脂製キャップの第５実施形態を示す一部断面状態の正面図である。
【図７】本発明の合成樹脂製キャップの第６実施形態を示す一部断面状態の正面図である。
【図８】合成樹脂製キャップの一例を示す一部断面状態の正面図である。
【発明を実施するための形態】
【００１０】
以下、本発明に係る合成樹脂製キャップの一例について、図面を参照して説明する。
図１は、本発明の合成樹脂製キャップの第１実施形態であるキャップ１を示す正面図である。図１における符号Ｃ１はキャップ１の中心軸を示す。
以下の説明において、「上」および「下」とは図１における上下方向に応じて定められる。上下方向は、キャップ１の中心軸Ｃ１に沿う方向である。水平方向は中心軸Ｃ１に垂直な方向である。
【００１１】
図１に示すように、キャップ１は、天板部２と、その周縁から垂下した筒部３とを備えている。
天板部２には、容器２０の口元部２１に嵌入して口元部２１の内面に当接する内側シール突起４と、口元部２１の外面または開口端面に当接する外側シール突起５とが形成されている。
【００１２】
筒部３は、スコア６（弱化部）によって、主部８と、ブリッジ（図示略）によって主部８に連結されたタンパーエビデンスリング部（ＴＥリング部）９とに区画されている。主部８の内周面には、容器２０の雄ネジ２２に螺合するネジ部１０が形成されている。
ＴＥリング部９の内周面には、開栓時に容器２０の係止段部２３に係止してＴＥリング部９の移動を阻止する係止突起１１が形成されている。
【００１３】
筒部３の主部８の外周面には、垂下方向（上下方向）に延在する複数のナール凸部１２ａからなるナール部１２が形成されている。
ナール部１２は、筒部３の外周面の表面摩擦を高め、使用者がキャップ１を開栓および閉栓する際に、キャップ１を回転させるのに必要な力を低減する機能を有する。
ナール凸部１２ａは、筒部３の径方向外方に突出して形成され、その突出寸法（筒部３外面からの突出寸法）は、例えば０．１ｍｍ〜１ｍｍとすることができる。
ナール凸部１２ａのピッチ（隣り合う２つのナール凸部１２ａの頂点間距離）は、例えば０．１ｍｍ〜１ｍｍとすることができる。
【００１４】
ナール１２の高さ寸法Ｈ１は、例えば５〜１５ｍｍ（好ましくは５〜１２ｍｍ）とすることができる。
高さ寸法Ｈ１が小さすぎると、使用者がキャップ１を開栓する際に手指がナール部１２に係止しにくくなって滑り止め性能が不十分になる。一方、高さ寸法Ｈ１が大きすぎると、空白領域１３の高さが小さくなり、情報表示１４が小さくなって確認しにくくなる。
高さ寸法Ｈ１を前記範囲とすることによって、十分な滑り止め性能を確保し、かつ情報表示１４を確認しやすくすることができる。
【００１５】
筒部３の外周面のうち、主部８の下部およびＴＥリング部９の上部に相当する領域は、ナール部１２が形成されていない空白領域１３である。
空白領域１３は、主部８の外周面の一部である第１領域１３ａと、ＴＥリング部９の外周面の少なくとも一部である第２領域１３ｂとからなる。
【００１６】
第１領域１３ａは、主部８の外周面のうちナール部１２より下方の領域であって、中心軸Ｃ１を軸とする円筒面である。
第２領域１３ｂは、ＴＥリング部９の外周面の上部の領域であって、第１領域１３ａと同じ外径を有し、中心軸Ｃ１を軸とする円筒面である。
第１領域１３ａと第２領域１３ｂは、互いに連なって形成された面一の領域である。
【００１７】
空白領域１３の高さ寸法Ｈ２は、例えば３〜１０ｍｍとすることができる。
高さ寸法Ｈ２が小さすぎると、情報表示１４が小さくなって確認しにくくなる。一方、高さ寸法Ｈ２が大きすぎると、使用者がキャップ１を開栓する際に手指がナール部１２に係止しにくくなって滑り止め性能が不十分になるおそれがある。
高さ寸法Ｈ２を前記範囲とすることによって、十分な滑り止め性能を確保し、かつ情報表示１４を確認しやすくすることができる。
【００１８】
第１領域１３ａの高さ寸法Ｈ２ａは、例えば２〜８ｍｍとすることができる。
第１領域１３ａの高さ寸法Ｈ２ａは、第２領域１３ｂの高さ寸法Ｈ２ｂと同じ、またはこれより大きいことが望ましい。これによって、ＴＥリング部９が主部８から分離した後でも情報表示１４を確認しやすくなる。
第２領域１３ｂの高さ寸法Ｈ２ｂは、例えば１〜５ｍｍとすることができる。
なお、図１では、第２領域１３ｂはＴＥリング部９の外周面の上部の領域であるが、ＴＥリング部９の外周面の全領域が第２領域１３ｂであってもよい。
【００１９】
空白領域１３の表面は平滑に形成されている。空白領域１３の表面の算術平均粗さＲａ（ＪＩＳ Ｂ ０６０１−１９９４）は、例えば１０μｍ以下とすることができる。
【００２０】
ナール部１２の高さ寸法Ｈ１と空白領域１３の高さ寸法Ｈ２との比率Ｈ１／Ｈ２は、例えば０．５〜２（好ましくは１〜１．５）とすることができる。
高さ比率Ｈ１／Ｈ２が小さすぎれば、使用者がキャップ１を開栓する際に手指がナール部１２に係止しにくくなって滑り止め性能が不十分になるおそれがある。一方、高さ比率Ｈ１／Ｈ２が大きすぎれば、情報表示１４が小さくなって確認しにくくなる。
高さ比率Ｈ１／Ｈ２を前記範囲とすることによって、十分な滑り止め性能を確保し、かつ情報表示１４を確認しやすくすることができる。
【００２１】
第１領域１３ａの高さ寸法Ｈ２ａと第２領域１３ｂの高さ寸法Ｈ２ｂとの比率Ｈ２ａ／Ｈ２ｂは、例えば１〜１０（好ましくは１〜５）とすることができる。これによって、空白領域１３に十分な面積を確保するとともに、ＴＥリング部９が主部８から分離した場合でも情報表示１４を確認しやすくできる。
空白領域１３の外径は、ナール部１２の外径以上とするのが好ましい。
【００２２】
空白領域１３は筒部３の全周にわたって形成されていることが好ましい。
空白領域１３を全周にわたって形成することによって、情報表示１４を、周方向に偏りなく形成することができる。よって、視認位置にかかわらず、情報表示１４を確認することができる。
なお、空白領域１３は、筒部３の全周に形成することが情報表示１４の視認性の点で好ましいが、周方向の一部のみに形成してもよい。
また、空白領域１３の高さ寸法Ｈ２は必ずしも全周にわたって均等でなくてもよいが、高さ寸法Ｈ２は全周にわたり均等であると、情報表示１４を形成するための十分な高さ範囲の領域が全周にわたり確保される。
【００２３】
空白領域１３には、情報表示１４が形成されている。情報表示１４は、色の違いや凹凸によって、その情報を識別できるように形成されている。
情報表示１４は、文字、図形、記号のうち１以上またはそれと色彩との結合として識別できるように形成することができる。
文字としては、例えば商品名、製造日、製造番号、製造元の名などを表す文字が挙げられる。図形としては、商品、製造元などを示すマークが挙げられる。記号としては、商品、製造元などを示す記号が挙げられる。
情報表示１４は、特定の形状がない構成、例えば空白領域１３の一部または全部の領域を着色した構成とすることもできる。
【００２４】
情報表示１４は、複数の色を用いて表してもよい。例えば、情報表示１４が複数の文字からなる場合には、複数の文字のうち２以上を互いに異なる色で表すことができる。情報表示１４が複数の領域を有する図形である場合には、複数の領域のうち２以上を互いに異なる色で表すことができる。
情報表示１４を、複数の色を用いて表す場合には、視覚効果を高め、情報表示１４を目立ちやすくすることができる。
【００２５】
情報表示１４を形成する方法は特に限定されず、印刷、レーザー加工、切削加工などを用いることができる。
印刷方法としては、インクジェット式印刷法、平版印刷法（例えばオフセット印刷法）、凹版印刷法、凸版印刷法、などがある。
【００２６】
情報表示１４を形成する範囲は、空白領域１３の一部であってもよいし、全領域であってもよい。
例えば、情報表示１４は、第１領域１３ａと第２領域１３ｂとにまたがって形成してもよいし、第１領域１３ａのみ、または第２領域１３ｂのみに形成してもよい。
本実施形態では、情報表示１４は、周方向に配列された複数の文字からなり、これらの文字は、第１領域１３ａと第２領域１３ｂとにまたがって形成されている。すなわち、情報表示１４を構成する文字は、上部が第１領域１３ａに形成され、下部が第２領域１３ｂに形成されている。
また、図１では、情報表示１４は、空白領域１３の周方向の一部のみに形成されているが、全周にわたって情報表示１４を形成することもできる。
【００２７】
キャップ１は、高密度ポリエチレン、ポリプロピレンなどの合成樹脂材料で構成することができる。
【００２８】
キャップ１が装着される容器２０としては、ポリエチレンテレフタレート（ＰＥＴ）などの合成樹脂製の容器を使用できる。容器２０の口元部２１の外面には雄ネジ２２が形成されている。係止段部２３は、径方向外方に突出する環状突起である。
容器２０と、口元部２１に装着されるキャップ１とは、閉止装置を構成する。
【００２９】
次に、キャップ１を開栓する過程について説明する。
使用者が筒部３を把持し、開栓方向に回すと、主部８が回転に従って上昇する一方、係止突起１１は係止段部２３に係止するため、ＴＥリング部９の上方移動は阻止され、主部８とＴＥリング部９とを連結しているブリッジ７に引張力が作用する。
前記引張力によりブリッジ７は破断し、ＴＥリング部９は主部８から切り離される。これによって、キャップ１が開栓されたことが明示される。
【００３０】
筒部３の外周面には、ナール部１２が形成されているため、筒部３外周面の表面摩擦が高められる。このため、開栓および閉栓操作時に、キャップ１を回転させるのに必要な力を低減することができる。よって、開栓および閉栓操作を容易に行うことができる。
【００３１】
次に、このキャップ１を製造する方法について説明する。
キャップ１の成形には、キャップ１の内面を形成する内面側金型と、キャップ１の外面を形成する外面側金型とを備えた製造装置が用いられる。
内面側金型は、キャップ１の内面形状に即した外面形状を有する。
外面側金型は、キャップ１の外面形状に即した内面形状を有する成形部を有する。
外面側金型の成形部は、その内底面が天板部２に即した形状とされ、内側面が筒部３に即した形状とされている。成形部の内側面は、底部側から開口部側にかけて、ナール１２を形成するナール形成部分と、空白領域１３を形成する空白領域形成部分とを有する。
【００３２】
この製造装置を用いてキャップ１を成形するには、外面側金型の成形部内に合成樹脂材料を供給し、圧縮成形などにより成形する。
成形されたキャップ１は、外面側金型の成形部から引き抜くとともに、内面側金型をキャップ１から引き抜く。
本実施形態のキャップ１は、空白領域１３の外径がナール部１２の外径以上とされているため、外面側金型の空白領域形成部分の内径を、ナール形成部分の最大内径以上とすることができる。
このため、キャップ１を外面側金型から引き抜く際に、ナール１２が空白領域形成部分により変形するのを防ぐことができる。従って、成形時におけるキャップ１の変形や損傷を回避できる。
【００３３】
成形されたキャップ１の空白領域１３に、印刷などにより情報表示１４を形成する。
これによって、図１に示すキャップ１が得られる。
【００３４】
本実施形態のキャップ１は、以下の効果を奏する。
キャップ１は、筒部３の外周面の一部が空白領域１３とされ、空白領域１３に情報表示１４が形成されているので、キャップ１を装着した容器が、商品として正立状態で陳列される場合でも、情報表示１４を容易に確認できるようになる。
また、空白領域１３は、主部８からＴＥリング部９にかけて形成されるため、空白領域１３の面積を大きく確保し、十分な大きさの情報表示１４を形成することができる。
従って、他の商品との識別を容易とし、優れた販売促進効果を得ることができる。
【００３５】
空白領域１３の第１領域１３ａと第２領域１３ｂとは面一に形成されているため、情報表示１４が視認しやすくなる。例えば、第１領域１３ａと第２領域１３ｂとが面一でない場合には、光があてられたときの反射光の方向が２つの領域で異なることにより一方の領域が視認しにくくなるおそれがあるが、キャップ１ではこのようなことは起こらない。
また、キャップ１では、第１領域１３ａと第２領域１３ｂとが面一であるため、情報表示１４の形成が容易となる。
例えば、インク媒体（ブランケットや印刷版など）との接触によりインクを供給する印刷法（平版印刷法、凹版印刷法、凸版印刷法など）を採用する場合においても、インク媒体と空白領域１３との接触に支障が生じない。よって、インク媒体によって適切な量のインクを供給し、鮮明で視認しやすい情報表示１４を形成することができる。
【００３６】
キャップ１が未開栓であるときには、ＴＥリング部９が主部８に対し連結した状態にあるため、情報表示１４の上部と下部の周方向位置は互いにほぼ一致しており、文字等として識別可能となる。
これに対し、開栓後、再び口元部２１に装着されたキャップ１は、ＴＥリング部９が主部８に対し切り離された状態にあるため、図２に示すように、情報表示１４の上部と下部との周方向位置が不一致となり、情報表示１４が識別できない状態となりやすい。
このため、情報表示１４の上部と下部との周方向位置が一致しているかどうかを目視により確認することにより、キャップ１が開栓済みであるかどうかを容易に判別することができる。従って、開封明示性を高めることができる。
【００３７】
キャップ１の成形に用いる外面側金型の成形部の内側面には、底部側から開口部側にかけてナール形成部分と、空白領域形成部分とが形成されている。
キャップ１の空白領域１３の外径を、ナール部１２の最大外径以上とすることによって、外面側金型の空白領域形成部分の内径を、ナール部形成部分の最大内径以上とすることができる。このため、キャップ１を外面側金型から引き抜く際に、ナール部１２が空白領域形成部分により変形するのを防ぐことができる。従って、成形時におけるキャップ１の変形や損傷を防ぐことができる。
【００３８】
図３は、本発明の合成樹脂製キャップの第２実施形態であるキャップ３１を示す正面図である。
キャップ３１は、情報表示１５が第１領域１３ａと第２領域１３ｂとにまたがって形成されておらず、第１領域１３ａのみに形成されている点で、図１に示すキャップ１と異なる。
情報表示１５は、第１領域１３ａのみに形成されているため、キャップ３１が開栓後、再び口元部２１に装着された場合でも判読できない状態とはならない。よって、他の商品との識別性が損なわれることがなく、販売促進効果に悪影響が及ばない。
【００３９】
図４は、本発明の合成樹脂製キャップの第３実施形態であるキャップ４１を示す正面図である。
キャップ４１は、情報表示１６が図形を表す点で、図１に示すキャップ１と異なる。
図形を表す情報表示１６は、文字を表す情報表示１４に比べて、キャップ１に意匠性を与えるのが容易となるため、他の商品との識別性を高めるうえで好適である。
【００４０】
図５は、本発明の合成樹脂製キャップの第４実施形態であるキャップ５１を示す正面図である。
キャップ５１の情報表示１７は、例えば印刷により形成された画像であり、空白領域１３の全周にわたって、ほぼ全高さ範囲に及んで形成されている。
【００４１】
図６は、本発明の合成樹脂製キャップの第５実施形態であるキャップ６１を示す正面図である。
キャップ６１の情報表示１８は、キャップ６１が装着される容器２０に充てんされる内溶液に応じた形状とすることができる。図示例の情報表示１８は、リンゴを形取った形状とされており、内溶液がリンゴジュースである場合には、商品の内容表示として機能する。
【００４２】
図７は、本発明の合成樹脂製キャップの第６実施形態であるキャップ７１を示す正面図である。
キャップ７１は、情報表示１９が凹凸（詳しくは凸部）で表されている点で、図１に示すキャップ１と異なる。
凹凸で表された情報表示１９は、例えばインクジェット法などのようにキャップにインクを付着させることにより形成する場合とは異なり、キャップ１や口元部２１への不純物の付着が起こらないため、食品衛生の観点から優れている。
なお、情報表示は、凹部で表されていてもよい。
【００４３】
キャップの具体的構成については、図示例以外にも、本発明の主旨を逸脱しない限り、上述の実施の形態で挙げた構成を取捨選択したり、他の構成に適宜変更することができる。
例えば、空白領域は、ナール部が形成されていない平滑面であればよく、筒部の周方向に沿う円筒面に限定されない。例えば、平坦面であってもよいし、複数の平坦面を組み合わせた面であってもよい。
【符号の説明】
【００４４】
１  キャップ（合成樹脂製キャップ）
２  天板部
３  筒部
７  ブリッジ
８  主部
９  タンパーエビデンスリング部
１０  ネジ部
１１  係止突起
１２  ナール部
１２ａ  ナール凸部
１３  空白領域
１３ａ  第１領域
１３ｂ  第２領域
１４，１５，１６，１７，１８，１９  情報表示
２０  容器
２１  口元部
２２  雄ネジ
【図１】
2016041595.tif 000003
【図２】
2016041595.tif 000004
【図３】
2016041595.tif 000005
【図４】
2016041595.tif 000006
【図６】
2016041595.tif 000007
【図７】
2016041595.tif 000008
【図８】
2016041595.tif 000009
【図５】
2016041595.tif 000010